(57)【要約】【課題】接続可能な電話端末装置の台数を明示的に表示して、電話システム構築の際に人為的ミスを抑制する電話システムを提供する。【解決手段】電話制御装置120に収容される全ての電話端末装置110-nの電源電圧値を把握することにより、収容される全ての電話端末装置110-nの消費電力量、すなわち、電話制御装置が供給している電力量を把握することができるため、この電話制御装置120が供給することができる電力量の余力を把握することにより、接続可能な電話端末装置110-nの台数を導出する。【選択図】  図１
2011071714.tif 000002
【特許請求の範囲】
【請求項１】
電話端末装置と、この電話端末装置に電源を供給するとともに前記電話端末装置を通信網に対して交換接続する電話制御装置とを有し、
前記電話端末装置は、
前記電話制御装置から供給される電源電圧を測定し測定結果を前記電話制御装置に通知する端末制御部を備え、
前記電話制御装置は、
収容する前記電話端末装置から通知された電源電圧の測定結果を前記電話端末装置毎に記憶する通知情報記憶部と、
前記電話端末装置に供給する電源電圧と前記電話端末装置の消費電力との関係を示す端末電力情報と、前記通知情報記憶部に記憶されている前記測定結果とに基づいて、収容されている電話端末装置の消費電力量を導出する電力量導出部と、
この電力量導出部によって導出された消費電力量に基づいて自装置が供給できる電力の余力を示す余力データと自装置に収容できる電話端末装置の台数を示す台数データとを導出し、これらを関連付けて記憶する電力情報導出部と
を備えることを特徴とする電話システム。
【請求項２】
請求項１に記載の電話システムにおいて、
前記電話制御装置の電力情報導出部は、自装置に収容できる電話端末装置の台数データを電話端末装置の種類毎に導出することを特徴とする電話システム。
【請求項３】
請求項１または２に記載の電話システムにおいて、
前記電力情報導出部によって記憶された前記余力データと前記台数データとの少なくとも一方を表示する電力情報出力手段を前記電話制御装置にさらに備えることを特徴とする電話システム。
【請求項４】
電話端末装置と、この電話端末装置に電源を供給するとともに前記電話端末装置を通信網に対して交換接続する電話制御装置とを含む電話システムの保守方法であって、
前記電話制御装置から前記電話端末装置へ供給される電源電圧値を測定し測定結果を前記電話制御装置へ通知する測定電圧通知ステップと、
前記電話制御装置に収容される前記電話端末装置から通知された電源電圧の測定結果と予め記憶されている前記電話端末装置に供給する電源電圧と前記電話端末装置の消費電力との関係を示す端末電力情報とに基づいて、前記電話制御装置に収容されている前記電話端末装置の消費電力量を導出する消費電力量導出ステップと、
この消費電力量導出ステップによって導出された消費電力量に基づいて前記電話制御装置が供給できる電力の余力を示す余力データと自装置に収容できる電話端末装置の台数データとを導出する電力情報導出ステップと
この電力情報導出ステップによって導出された前記余力データと前記台数データとの少なくとも一方を、前記電話端末装置および前記電話制御装置のどちらか一方に表示させる電力情報表示ステップと
を有することを特徴とする電話システムの保守方法。  
【請求項５】
請求項４に記載の電話システムの保守方法をコンピュータに実行させることを特徴とする電話システムの保守用プログラム。
【発明の詳細な説明】
【技術分野】
【０００１】
本発明は、電話システム、電話システムの保守方法および保守用プログラムに関する。
【背景技術】
【０００２】
従来、複数の電話端末装置とこの電話装置を収容する電話制御装置とから構成される電話システムにおいて、電話端末装置の電源は、電話制御装置に備えられた電源ユニットから給電されている場合が多かった。このため、収容される電話端末装置の設置台数の増加や、接続される電話端末装置の高機能化に伴う消費電力量の増加によって、電話制御装置の給電性能を超えてしまうようなシステム構成となってしまい、所望の電話システムを構成できないといった問題があった。
【０００３】
このような問題に対し、特許文献１に示すような、電話端末装置を収容する電話制御装置によってシステム全体の消費電力を監視するといった電話システムが知られている。
この特許文献１に示す電話システムは、使用されている電話端末装置と使用されていない電話端末装置とを識別し、使用されていない電話端末には電源供給を停止することにより、電話制御装置の電源容量の最大定格値を超えないよう消費電力の削減を行うものである。
また、特許文献２に示すような、電話端末装置とパーソナルコンピュータ（以降「ＰＣ」という。）とを対応付けて制御することにより、ＰＣの電源状態に応じて電話端末装置に対する電源供給を制御することにより、消費電力の削減を行う技術が知られている。
【先行技術文献】
【特許文献】
【０００４】
【特許文献１】特開平１０−４５７０号公報
【特許文献２】特開２０００−２８７２３２号公報
【発明の概要】
【発明が解決しようとする課題】
【０００５】
しかしながら、特許文献１および特許文献２に示す技術はいずれも、電話システムの構成要素として電話制御装置に接続され動作している電話端末装置に対して、供給電源の制御を行うことによりシステムの消費電力を制御する技術であって、電話システムの電源の最大定格を超えないようなシステム構成を構築する際の接続作業や保守作業に関して考慮された技術ではない。
【０００６】
したがって、電話システムの構築工事や保守作業における人為的な作業、例えば、接続する電話端末装置の種類や電話端末装置の消費電力や電話端末装置の設置場所（線路長）を考慮した電話システムの構成を設計・施工・保守管理作業にミスがあった場合、電話システムの電源の最大定格を超えてしまうようなシステム構成をなし、電話システムの動作に不具合が発生してしまう可能性があった。
【０００７】
本発明は、上述のような問題を解決すべく、接続可能な電話端末装置の台数を明示的に表示して、電話システム構築や保守管理の際に人為的ミスを抑制する電話システムを提供することを目的とする。
【課題を解決するための手段】
【０００８】
上記目的を達成するために、本発明は、電話端末装置と、この電話端末装置に電源を供給するとともに前記電話端末装置を通信網に対して交換接続する電話制御装置とを有し、前記電話端末装置は、前記電話制御装置から供給される電源電圧を測定し測定結果を前記電話制御装置に通知する端末制御部を備え、前記電話制御装置は、収容する前記電話端末装置から通知された電源電圧の測定結果を前記電話端末装置毎に記憶する通知情報記憶部と、前記電話端末装置に供給する電源電圧と前記電話端末装置の消費電力との関係を示す端末電力情報と、前記通知情報記憶部に記憶されている前記測定結果とに基づいて、収容されている電話端末装置の消費電力量を導出する電力量導出部と、この電力量導出部によって導出された消費電力量に基づいて自装置が供給できる電力の余力を示す余力データと自装置に収容できる電話端末装置の台数を示す台数データとを導出し、これらを関連付けて記憶する電力情報導出部とを設けたことを特徴とする。
【０００９】
また、本発明の電話システムにおける前記電話制御装置の電力情報導出部は、自装置に収容できる電話端末装置の台数データを電話端末装置の種類毎に導出しても良い。
さらに、本発明にかかる電話システムは、前記電力情報導出部によって記憶された前記余力データと前記台数データとの少なくとも一方を表示する電力情報出力手段を前記電話制御装置にさらに設けても良い。
【発明の効果】
【００１０】
本発明によれば、電話制御装置に収容される電話端末装置の電源電圧値を把握することにより、収容される電話端末装置の消費電力量、すなわち、電話制御装置が供給している電力量を把握することができるため、この電話制御装置が供給することができる電力量の余力を把握することができる。
したがって、電話制御装置が供給することができる電力量の余力に関する情報や電話制御装置に接続することが可能な電話端末装置の台数を明示的に表示することができるため、電話システムを構築する際の工事において、工事担当者に対してこのような情報を提供することができ、人為的なミスを抑制することが可能となる。
【図面の簡単な説明】
【００１１】
【図１】本発明の第１の実施の形態にかかる電話システムの構成を示すブロック図である。
【図２】第１の実施の形態にかかる電話システムの動作を示すフローチャートである。
【図３】第１の実施の形態にかかる電話システムにおける端末電源情報の一例を示す図である。
【図４】第１の実施の形態にかかる電話システムにおける電話端末装置の電源電圧と消費電力との関係を示す端末電力情報の一例を示す図である。
【図５】第１の実施の形態にかかる電話システムにおける電話制御装置によって記憶される消費電力データと余力データと台数データとの一例を示す図である。
【図６】本発明の第２の実施の形態にかかる電話システムの構成を示すブロック図である。
【図７】第２の実施の形態にかかる電話システムの動作を示すシーケンス図である。
【図８】第２の実施の形態にかかる電話システムにおいて導出した電力情報の設定表示の形態の一例を示す図である。
【図９】第２の実施の形態にかかる電話システムにおいて導出した電力情報の結果表示の形態の一例を示す図である。
【発明を実施するための形態】
【００１２】
以下、本発明の実施の形態にかかる電話システムについて、図を参照して詳細に説明する。
［第１の実施の形態］
本発明の第１の実施の形態にかかる電話システムは、電話端末装置と、この電話端末装置に電源を共有するとともに、１または複数の電話端末装置を通信網に対して交換接続する電話制御装置とから構成され、電話制御装置に収容可能な電話端末装置の台数を明示的に出力するものである。
本実施の形態にかかる電話システム１０は、図１に示すように、電話端末装置１１０−１〜１１０−ｎと電話制御装置１２０とから構成されている。
【００１３】
電話端末装置１１０−ｎは、端末制御装置１１１−ｎと、電話制御装置１２０から供給される電源電圧を入力として所望の電圧を生成し出力する端末電源部１１２−ｎと、電話制御装置１２０との接続制御を行う内線インターフェース部（以下「Ｉ／Ｆ部」とする。）１１３−ｎとから構成されている。
【００１４】
端末制御部１１１−ｎは、端末電源部１１２−ｎに入力される供給電源の電圧値を計測し、この計測した電圧値データを含んだ端末電源情報を電話制御装置１２０に対して送信する。
ここで、端末電源情報には、供給電源の電圧値の計測データの他に、電話端末装置１１０−ｎの電話機種別情報や、電話端末装置１１０−ｎの接続先である電話制御装置１２０の内線Ｉ／Ｆ部１２５のポート番号情報などを含むことができる。
また、端末制御部１１１−ｎによる供給電圧の計測は、例えば、ＣＰＵ（中央演算処理装置）のＡ／Ｄ変換機能を用いて供給電圧の変動を監視して供給電圧の電圧値を計測することができる。
【００１５】
電話制御装置１２０は、通知情報記憶部１２１と、電力量導出部１２２と、電力情報導出部１２３と、電話制御装置１２０に収容される電話端末装置１１０−ｎに対して電源を供給する電源供給部１２４と、電話端末装置１１０−ｎとの接続制御を行う内線Ｉ／Ｆ部１２５と、通信網１に対して電話端末装置１１０−ｎを交換接続する外線Ｉ／Ｆ部１２６とから構成されている。
【００１６】
通知情報記憶部１２１は、電話制御装置１２０に収容されている電話端末装置１１０−１〜１１０−ｎから送信された端末電源情報を受信し、電話端末装置毎に受信した端末電源情報を記憶する。
ここで、端末制御部１１１−ｎと電話制御装置１２０との間で送受信される端末電源情報は、例えば、本実施の形態にかかる電話システム１０の電話端末装置１１０−ｎと電話制御装置１２０との間で行われる通信の通信方式として採用される時分割方向制御方式（いわゆる「ピンポン伝送方式」）に則り送受信されるデータとすることができる。
【００１７】
電力量導出部１２２は、予め記憶している電話端末装置１１０−ｎの電源電圧と消費電力との関係を示す端末電力情報と、通知情報記憶部１２１に記憶されている端末電源情報に含まれる供給電圧の測定値とに基づいて、電話制御装置１２０に収容されている電話端末装置１１０−ｎの消費電力量を導出し記憶する。
【００１８】
電力情報導出部１２３は、電力量導出部１２２によって導出された消費電力量（電話制御装置が供給している電力量）と電源供給部１２４の定格容量から、電話制御装置１２０が供給可能な電力の余力を示す余力データを導出するとともに、この余力データに基づいて電話制御装置１２０に収容可能な電話端末装置１１０−ｎの台数を示す台数データを導出して記憶する。
【００１９】
なお、上述した電話端末装置１１０−ｎおよび電話制御装置１２０の各機能は、電話端末装置１１０−ｎおよび電話制御装置１２０に搭載されたＣＰＵ（中央演算装置）やメモリ、インターフェースからなるコンピュータにコンピュータプログラム（ソフトウェア）をインストールすることによって実現され、上記コンピュータの各種ハードウェア資源と上記コンピュータプログラムとが協働して実現される。
【００２０】
次に、本実施の形態にかかる電話システム１０の電話制御装置１２０に収容可能な電話端末装置１１０−ｎの台数の導出動作について、図を参照して説明する。
【００２１】
図２に示すように、本実施の形態にかかる電話システム１０は、電話端末装置１１０−ｎに対する供給電圧Ｖinを各電話端末装置１１０−ｎの端末制御部１１１−ｎによって監視し（Ｓ１０１）、計測した監視電圧値（供給電圧Ｖin）を含んだ端末電源情報を電話制御装置１２０に対して送信する（Ｓ１０２）。
【００２２】
電話制御装置１２０の通知情報記憶部１２１は、電話制御装置１２０に収容される電話端末装置１１０−ｎから端末電源情報を受信して（Ｓ１０３）、電話端末装置１１０−ｎ毎に受信した端末電源情報（供給電圧の計測データや電話機種別データや接続先のポート番号データなど）を記憶する（Ｓ１０４）。
【００２３】
また、通知情報記憶部１２１に記憶される端末電源情報の一例を図３に示す。
図３に示すように、通知情報記憶部１２１に記憶される端末電源情報は、端末電源情報に含まれる供給電圧Ｖinの計測値、電話機の種別データ、接続先である電話制御装置１２０の内線ポート番号データを、予め規定されている供給電圧値を所定の範囲に区分したＶin範囲データに関連付けて電話端末装置１１０−ｎ毎に記憶されたものである。例えば、内線ポートＮｏ１に接続されている電話端末装置１１０−ｎの電話機種別はＡ、供給電圧Ｖinの計測値は27.5Ｖ、Ｖin範囲データは（１）であることを示している。
【００２４】
通知情報記憶部１２１に端末電源情報が記憶されると、電力量導出部１２２は、予め記憶している端末電力情報と、通知情報記憶部１２１に記憶された端末電源情報とに基づいて、電話制御装置１２０に収容される電話端末装置１１０−ｎの各消費電力量および電話制御装置１２０が供給している電力量を導出する（Ｓ１０５）。
【００２５】
ここで、電力量導出部１２２による電話端末装置１１０−ｎの各消費電力量および電話制御装置１２０が供給している電力量の導出動作について、詳細に説明する。
まず、予め記憶されている端末電力情報の一例を図４に示す。図４に示すように、端末電力情報は、電話端末装置１１０−ｎの電源電圧に対応した電話端末装置１１０−ｎの消費電力を記述したデータである。また、端末電力情報には、電話端末装置１１０−ｎへの供給電力の定格性能、すなわち、電話制御装置１２０の電源供給部の定格を記述した情報とすることもできる。
【００２６】
電力量導出部１２２は、通知情報記憶部１２１に記憶されている図３に示す端末電源情報の各データを図４に示す端末電力情報に当てはめることにより該当する電話端末装置１１０−ｎの消費電力を導出する。
例えば、図３に示す内線ポートＮｏ１に接続された電話端末装置は、電話機種別がＡで電源電圧（供給電圧Ｖin）の値が２７.５Ｖ、すなわち、Ｖin範囲が（１）である。したがって、この電話端末装置の消費電力は、図４から、Ｖin範囲が（１）で電話機種別がＡの消費電力１．０Ｗと導出できる。
このように、電話制御装置１２０に収容されている全ての電話端末装置１１０−１〜１１０−ｎの消費電力を導出すると、これら消費電力の総和を電話制御装置１２０が供給している電力量として導出する。
【００２７】
電力情報出力部１２３は、電力量導出部１２２によって導出された電話制御装置１２０に収容される全ての電話端末装置１１０−１〜１１０−ｎの各消費電力量と電話制御装置１２０が供給している電力量とから（以下、電話端末装置１１０−ｎの各消費電力量と電話制御装置１２０が供給している電力量とをまとめて「消費電力データ」という。）、電話制御装置１２０が供給できる電力の余力を示す余力データと電話制御装置１２０に収容できる電話端末装置１１０−ｎの残り台数を示す台数データとを導出する（Ｓ１０６）。
【００２８】
ここで、図５に示す消費電力データ、余力データ、台数データの一例を参照して、電力情報導出部１２３の動作について、詳細に説明する。
【００２９】
図５には、電力量導出部１２２によって導出される消費電力データ、すなわち、電話制御装置１２０の内線ポートに接続されている電話端末装置１１０−ｎの各消費電力とこれらの総和が記述されており、電力情報導出部１２３は、図５に示す電話端末装置１１０−ｎの各消費電力の総和（電話制御装置１２０が供給している電力）と電話制御装置１２０の供給可能な電力（図５に示す「＜定格＞電力」の値）との差分を算出することにより、電話制御装置１２０が供給できる電力の余力である余力データを導出する。
余力データを導出した電力情報導出部１２３は、電話制御装置１２０に接続可能な電話端末装置１１０−ｎの残り台数を、導出した余力データに基づいて電話機種別毎に算出することにより台数データを導出する。
【００３０】
例えば、図５に示すように、電力量導出部１２２によって導出された電話端末装置１１０−ｎの各消費電力の合計値は１７.５Ｗ、電話制御装置１２０が供給可能な定格電力は４０.０Ｗであることから、電力情報導出部１２３は、電話制御装置１２０の供給できる電力の余力を２２.５Ｗと算出し、余力データとして導出する。
余力データが２２.５Ｗであるために、電話制御装置１２０に接続可能な電話端末装置１１０−ｎの残り台数は、以下のとおり電話機種別毎に算出される。
＜電話機Ａ＞  …  ２２.５／１.０＝２２.５
＜電話機Ｂ＞  …  ２２.５／２.０＝１１.２５
＜電話機Ｃ＞  …  ２２.５／４.０＝５.６２５
【００３１】
したがって、電力情報導出部１２３は、電話制御装置１２０に収容可能な電話端末装置１１０−ｎの台数データを電話機Ａが２２台、電話機Ｂが１１台、電話機Ｃが５台として導出する。
なお、本実施の形態において、台数データの導出には、線路損失を無視できる条件、すなわち、電話端末装置１１０−ｎへの供給電圧Ｖinの範囲データが図４に示す（１）である場合を用い、電話機種別毎に接続可能台数を算出することとする。
【００３２】
このように、本実施の形態にかかる電話システム１０は、電話制御装置に収容される全ての電話端末装置の電源電圧値を把握することにより、収容される全ての電話端末装置の消費電力量、すなわち、電話制御装置が供給している電力量を把握するとともに電話制御装置が供給できる電力の余力を把握することができる。
したがって、電話制御装置が供給することができる電力量の余力に関する情報に基づいて電話制御装置に接続することが可能な電話端末装置の台数を明示的に表示することができるため、電話システムを構築する際の工事において、工事担当者に対してこのような情報を提供することができ、人為的なミスを抑制することが可能となる。
【００３３】
［第２の実施の形態］
本発明の第２の実施の形態にかかる電話システムは、第１の実施の形態において説明した電話システム１０に、収容可能な電話端末装置に関する情報を電話端末装置の種別毎の組み合わせに応じて出力させる出力装置を設けたものである。
なお、本実施の形態にかかる電話システムの構成要素について、第１の実施の形態において説明した電話システム１０の構成要素と同一の構成および機能を有するものには、同一の符号を付し、詳細な説明は省略する。
【００３４】
本実施の形態にかかる電話システム２０は、図６に示すように、電話端末装置２１０−１〜２１０−ｎと電話制御装置２２０とから構成されている。
電話端末装置２１０−ｎは、端末制御部２１１−１、端末電源部１１２−１、内線Ｉ／Ｆ部１１３−１、電力情報出力部２１４−１とから構成されている。
【００３５】
端末制御部２１１−ｎは、後述する電話制御装置２２０の電力情報出力制御部２２７によって送信された電話制御装置２２０に収容可能な電話端末装置２１１−ｎに関する情報を受信して、電力情報出力部２１４に対して受信した情報を表示出力させる。
また、ユーザの操作によって表示されている情報の再取得要求が発生すると、電話制御装置２２０に対して電力情報再取得要求を送信する。
電力情報出力部２１４は、情報を画面に表示する出力装置を有し、端末制御部２１１−ｎによって受信された情報を表示出力する。
【００３６】
電話制御装置２２０は、通知情報記憶部１２１、電力量導出部１２２、電力情報導出部１２３、電源供給部１２４、内線Ｉ／Ｆ部１２５、外線Ｉ／Ｆ部１２６、電力情報出力制御部２２７とから構成されている。
電力情報出力制御部２２７は、電力情報導出部１２３によって導出される電話制御装置２２０に収容可能な電話端末装置２１１−ｎに関する情報を、内線Ｉ／Ｆ部１２５を介して電話端末装置２１０−ｎへ送信するとともに、電話制御装置２２０に接続される保守用ＰＣ（Personal Computer）へ表示出力する。
また、端末制御部２１１−ｎから送信された電力情報再取得要求、または、ユーザの操作によって電話制御装置２２０に接続されている保守用ＰＣなどに表示されている情報の再取得要求を受信すると、これら要求に基づいた余力データと台数データの導出要求を電力情報導出部１２３に対し出力する。
【００３７】
なお、上述した電話端末装置２１０−ｎおよび電話制御装置２２０の各機能は、電話端末装置２１０−ｎおよび電話制御装置２２０に搭載されたＣＰＵ（中央演算装置）やメモリ、インターフェースからなるコンピュータにコンピュータプログラム（ソフトウェア）をインストールすることによって実現され、上記コンピュータの各種ハードウェア資源と上記コンピュータプログラムとが協働して実現される。
【００３８】
次に、本実施の形態にかかる電話システム２０の電話制御装置２２０に収容可能な電話端末装置２１０−ｎに関する情報の表示動作について、図を参照して説明する。
図７は、本実施の形態にかかる電話システム２０の電話制御装置２２０に収容可能な電話端末装置２１０−ｎに関する情報の表示動作を示すシーケンス図である。図７に示すように、電話端末装置２１０−ｎは、供給電圧Ｖinを監視し（Ｓ２０１）、Ｖinの計測データを含んだ端末電源情報を電話制御装置２２０に対して送信する（Ｓ２０２）。
【００３９】
電話制御装置２２０は、受信した端末電源情報の各データに基づいて電話端末装置１１０−ｎ毎に端末電話情報を記憶し（Ｓ２０３）、この端末電源情報に基づいて、消費電力データ、余力データ、台数データ（以下、これら３つのデータをまとめて「電力情報」という。）を導出する（Ｓ２０４）。
電話制御装置２２０は、導出した電力情報を電話端末装置２１０−ｎに送信する（Ｓ２０５）。電話端末装置２１０−ｎは受信した電力情報を、電話制御装置２２０は導出した電力情報を、それぞれ画面表示などにより外部へ出力する（Ｓ２０６）。
外部へ出力された電力情報に基づいて、ユーザから電力情報の再取得の要求がなされると（Ｓ２０７）、電話端末装置２１０−ｎは電力情報の再取得要求を電話制御装置２２０に対して送信する（Ｓ２０８）。
【００４０】
ここで、電話制御装置２２０によって導出された電力情報の設定表示の形態の一例を図８に示す。図８には、電話制御装置２２０によって導出された電力情報のうち、余力データと接続予定の電話端末装置２１０−ｎの条件を入力する入力フォームとが表示されている。
例えば、電話端末装置２１０−ｎが受信した電力情報を図８に示すような画面表示により出力する場合、この画面表示を確認したユーザは、余力データを確認しながら電話制御装置２２０に接続させる電話端末装置２１０−ｎの台数条件を、画面表示させている電話端末装置２１０−ｎの入力装置を利用して入力する。
ユーザによって電話制御装置２２０に接続する電話端末装置２１０−ｎの接続台数条件が入力されると、この接続台数条件に基づいた電力情報の再取得要求が電話制御装置２００に対して送信される。
【００４１】
電話制御装置２２０は、ユーザの入力操作による電力情報の再取得要求に基づいて、電力情報の再取得動作を実行し（Ｓ２０９）、導出した電力情報を電話端末装置２１０−ｎに対して送信する（Ｓ２１０）。
電話端末装置２１０−ｎは受信した電力情報を、電話制御装置２２０は導出した電力情報を、それぞれ画面表示などにより外部へ出力する（Ｓ２１１）。
【００４２】
ここで、電話制御装置２２０によって導出された電力情報の結果表示の形態の一例を図９に示す。
図９は、図８に示す電話制御装置２２０に接続する電話端末装置２１０−ｎの台数条件（電話機Ａ：４台以上、電話機Ｂ：指定しない、電話機Ｃ：３台）を含んだ電力情報の再取得要求に基づいて導出された複数の電力情報のうち、１のパターンを示している。
すなわち、図９に示す電力情報の表示形態の一例は、余力データによって示される電話制御装置２２０の供給可能な電力量の範囲内で、ユーザによって指定された条件を満たす電話制御装置２２０に収容可能な電話端末装置２１０−ｎの台数データを、電話端末装置２１０−ｎの電話機種別の組み合わせに応じて表示されたことを示している。
【００４３】
本実施の形態にかかる電話システム２０によれば、導出される余力データの範囲内でユーザによって指定される条件を満たす電話システム２０を構成する電話端末装置の台数データを、電話端末装置の種別に応じて明示的に表示させることができる。
したがって、電話システムを構築する際の工事において、工事担当者に対して詳細な電話システムの構成条件を示す情報を提供することができ、人為的なミスを抑制するとともに工事の迅速化を図ることが可能となる。
【産業上の利用可能性】
【００４４】
ボタン電話システムやＰＢＸシステムといった電話システムの保守管理方法および保守管理用プログラムに利用可能である。
【符号の説明】
【００４５】
１…通信ネットワーク、２…保守用ＰＣ、１０，２０…電話システム、１１０−１〜１１０−ｎ，２１０−１〜２１０−ｎ…電話端末装置、１１１−１〜１１１−ｎ，２１１−１〜２１１−ｎ…端末制御部、１１２−１〜１１２−ｎ…端末電源部、１１３−１〜１１３−ｎ…内線Ｉ／Ｆ部（電話端末装置）、２１４…電力情報出力、１２０,２２０…電話制御装置、１２１…通知情報記憶部、１２２…電力量導出部、１２３…電力情報導出部、１２４…電源供給部、１２５…内線Ｉ／Ｆ部（電話制御装置）、１２６…外線Ｉ／Ｆ部、２２７…電力情報出力制御部。
【図１】
2011071714.tif 000003
【図２】
2011071714.tif 000004
【図３】
2011071714.tif 000005
【図４】
2011071714.tif 000006
【図５】
2011071714.tif 000007
【図６】
2011071714.tif 000008
【図７】
2011071714.tif 000009
【図８】
2011071714.tif 000010
【図９】
2011071714.tif 000011